(57)【特許請求の範囲】
【請求項１】
ビデオ監視カメラ・格納装置であって、
下端部を通してビデオ監視カメラ・シャーシを受け入れるためのカメラ・ハウジングを備え、前記ハウジングが、天井部材の開口部に挿入するようになされ、かつ、ビデオ監視カメラ・モニタリング・システムに電気接続するための、前記ハウジングの上端部に配置されたコネクタを備え、前記ハウジングが、前記ハウジングの下端部の近傍に配置された、前記開口部の周囲の下部表面と係合するためのフランジと、前記ハウジングの周囲に、前記フランジに隣接して配置された複数の取付けクランプとを備え、前記取付けクランプが、前記ハウジングを開口部に挿入することができるよう、前記ハウジングの外部と相対的に同一平面の第１の位置と、前記ハウジングの外部から外側に向かって実質的に直角に延びた、開口部の周囲の上部表面と係合するための第２の位置とを有し、前記取付けクランプが、前記第１の位置から前記第２の位置へ移動可能であり、それにより、前記フランジと前記取付けクランプの間の前記開口部に隣接した天井部材の一部を捕捉して、前記ハウジングを天井部材に固定し、下端部を通してビデオ監視カメラ・シャーシおよび前記シャーシに取り付けられたビデオ監視カメラをハウジング内に挿入することができ、
前記ビデオ監視カメラ・シャーシが前記ハウジング内に配置され、かつ、前記シャーシの周囲に配置された複数の位置決め部材をさらに備え、前記位置決め部材が前記ハウジング内の複数のアライメント・フランジと係合することができ、それにより前記シャーシが前記ハウジング内の所定の位置に導かれ、前記位置決め部材の各々が、対応する前記アライメント・フランジと解放可能に係合するためのショルダを備え、前記ショルダの各々が、前記シャーシを前記所定の位置で捕捉するために前記フランジに突き当てられる第１の位置と、前記シャーシを取り外すための前記フランジのない第２の位置との間で、移動可能であり、
前記位置決め部材は、前記シャーシを前記ハウジングに固定するためのファスナが貫通する貫通孔を有し、
前記アライメント・フランジは、前記ファスナがねじ込まれて前記シャーシを固定するためのねじ付き開口部を有し、
前記シャーシは、前記ハウジングに挿入されるときに、前記ショルダが前記第１の位置で前記アライメント・フランジに引っ掛かって係合し、前記貫通孔と前記ねじ付き開口部とが対向して、前記ハウジングから懸垂して捕捉される、ビデオ監視カメラ・格納装置。
【請求項２】
前記取付けクランプと前記フランジの間の距離を調整することができ、それにより前記フランジと前記取付けクランプの間の前記開口部に隣接する天井部材の一部に圧縮を提供する、請求項１に記載の装置。
【請求項３】
前記ハウジングの前記上端部のための保護カバーをさらに備える、請求項１に記載の装置。
【請求項４】
前記ハウジングの前記下端部に取り付けることができる、光学品質射出成形監視カメラ・ドーム・カバーをさらに備える、請求項１に記載の装置。
【請求項５】
各位置決め部材が、前記ショルダを前記第１の位置に偏倚するための手段をさらに備える、請求項１に記載の装置。
【請求項６】
前記ハウジング内部の上端部に配置された、前記ビデオ監視カメラ・シャーシに接続された第２のコネクタと合うようになされ、上端において前記ハウジングの内部に配置された第１のコネクタをさらに備え、前記シャーシが前記所定の位置で捕捉されると、前記第１および第２のコネクタが互いに合う関係になり、また、前記シャーシを前記ハウジングの上端部に向かって押し込み、それにより前記第１および第２のコネクタを互いに合わせ、かつ、前記シャーシを前記ハウジングに固定するための少なくとも１つのファスナを備える、請求項１に記載の装置。
【請求項７】
前記ビデオ監視カメラ・シャーシに接続され、少なくと１つのＬＥＤを有するプリント回路基板をさらに備え、前記シャーシが、前記ハウジングの下から前記ＬＥＤを遠隔目視するための、前記少なくとも１つのＬＥＤに対応する少なくとも１つのＬＥＤビュー・ポートを備え、前記第２のコネクタが前記プリント回路基板に接続される、請求項６に記載の装置。
【請求項８】
前記ＬＥＤビュー・ポートが、前記ＬＥＤの近傍から前記シャーシの下部表面へ延びた、実質的に漏斗形状のチューブを備える、請求項７に記載の装置。
【請求項９】
前記シャーシに接続され、前記シャーシの取外しを必要とすることなく、前記ハウジングの外部から切り換えることができるスイッチをさらに備える、請求項１に記載の装置。
【請求項１０】
ビデオ監視カメラをビデオ監視カメラ・ハウジング内に取り付けるためのビデオ監視カメラ・シャーシであって、
ビデオ監視カメラを設置するようになされた下端部を有する支持部材と、前記支持部材の周囲に配置された複数の位置決め部材を備え、前記位置決め部材が、ビデオ監視カメラ・ハウジング内の複数のアライメント・フランジと係合し、それにより前記支持部材をハウジング内の所定の位置に導くことができ、前記位置決め部材の各々が、対応するアライメント・フランジと解放可能に係合するためのショルダを備え、前記ショルダの各々が、前記支持部材を前記所定の位置で捕捉するためにフランジに突き当てられる第１の位置と、前記支持部材を取り外すためのフランジのない第２の位置との間で、移動可能であり、
前記位置決め部材は、前記シャーシを前記ハウジングに固定するためのファスナが貫通する貫通孔を有し、
前記アライメント・フランジは、前記ファスナがねじ込まれて前記シャーシを固定するためのねじ付き開口部を有し、
前記シャーシは、前記ハウジングに挿入されるときに、前記ショルダが前記第１の位置で前記アライメント・フランジに引っ掛かって係合し、前記貫通孔と前記ねじ付き開口部とが対向して、前記ハウジングから懸垂して捕捉される、ビデオ監視カメラ・シャーシ。
【請求項１１】
位置決め部材の各々が、前記ショルダを前記第１の位置に偏向させるための手段をさらに備える、請求項１０に記載の装置。
【請求項１２】
前記支持部材に接続された第１のコネクタをさらに備え、前記第１のコネクタが、ハウジング内に配置された第２のコネクタと合うことができ、前記支持部材が前記所定の位置で捕捉されると、前記第１のコネクタおよび第２のコネクタが互いに合う関係になり、また、前記支持部材をハウジングの上端部に向かって押し込み、それにより前記第１のコネクタおよび第２のコネクタを互いに合わせ、かつ、前記支持部材をハウジングに固定するための少なくとも１つのファスナを備える、請求項１０に記載の装置。
【請求項１３】
前記支持部材に接続され、少なくと１つのＬＥＤを有するプリント回路基板をさらに備え、前記支持部材が、前記支持部材の下から前記ＬＥＤを遠隔目視するための、前記少なくとも１つのＬＥＤに対応する少なくとも１つのＬＥＤビュー・ポートを有し、前記第１のコネクタが前記プリント回路基板に接続される、請求項１２に記載の装置。
【請求項１４】
前記ＬＥＤビュー・ポートが、前記ＬＥＤの近傍から前記支持部材の下部表面へ延びた、実質的に漏斗形状のチューブを備える、請求項１３に記載の装置。
【請求項１５】
ビデオ監視カメラ・ハウジングと、前記ハウジングが内部に取り付けられた格納体とをさらに備え、前記支持部材が、前記ハウジングおよび前記ハウジングの下端部に接続された光学監視カメラ・ドーム・カバーの内部に取り付けられる、請求項１０に記載の装置。
【請求項１６】
前記支持部材に接続されたプリント回路基板をさらに備え、前記プリント回路基板が、前記支持部材、前記ハウジング、前記ドーム・カバー、および前記格納体を分解することなく、前記格納体の外部から選択することができる少なくとも１つのスイッチを備える、請求項１５に記載の装置。
【請求項１７】
前記プリント回路基板が、少なくとも１つのＬＥＤおよび前記格納体の下から前記ＬＥＤを遠隔目視するための、前記少なくとも１つのＬＥＤに対応する少なくとも１つのＬＥＤビュー・ポートをさらに備える、請求項１６に記載の装置。
【請求項１８】
前記ＬＥＤビュー・ポートが、前記ＬＥＤの近傍から前記支持部材の下部表面へ延びた、実質的に漏斗形状のチューブを備える、請求項１７に記載の装置。
【請求項１９】
第１の端部に配置された第１のコネクタおよび第２の端部に配置された少なくとも第２のコネクタを有する配線ピグテールをさらに備え、前記第１のコネクタが、前記プリント回路基板に配置された第３のコネクタと合うことができ、前記ピグテールの第２の端部が前記ハウジングの外部に延び、ビデオ監視カメラ・モニタリング・システムに、前記ピグテールの第２の端部に配置された前記コネクタに解放可能に接続することができる、請求項１６に記載の装置。
【請求項２０】
前記プリント回路基板全体、前記支持部材に取り付けられたカメラ・パン・モータにわたって、および前記ドーム・カバーの内部表面にわたってに空気を循環させるための、前記支持部材に取り付け可能な少なくとも１つのファンをさらに備える、請求項１６に記載の装置。
【請求項２１】
前記支持部材に取り付けることができる制御可能ヒータ・エレメントをさらに備え、前記空気が前記制御可能ヒータ・エレメント全体に循環する、請求項２０に記載の装置。
【請求項２２】
前記少なくとも１つのファンおよび前記ヒータ・エレメントが、いずれもファン支持部材に取り付けられ、前記ファン支持部材は前記支持部材への取付けが可能であり、前記ファン支持部材が、第１の複数の開口部を有し、前記支持部材が、第２の複数の開口部を有し、前記ファン支持部材が前記支持部材に取り付けられると、前記第１および前記第２の複数の開口部が互いに整列し、前記第１および前記第２の複数の開口部を通して空気が循環する、請求項２１に記載の装置。
【請求項２３】
前記プリント回路基板にわたっておよびカメラ・パン・モータにわたってへの空気流を助長する、前記支持部材に取り付けられた第２のファンをさらに備え、前記空気が前記ドーム・カバーの内部表面にわたって実質的に一定方向に流れる、請求項２２に記載の装置。
【発明の詳細な説明】
【０００１】
（関連出願の相互参照）
該当なし
（連邦保証研究または開発に関する記述）
該当なし
【０００２】
（発明の背景）
発明の分野
本発明はビデオ監視カメラに関し、より詳細にはビデオ監視カメラのための改良型格納装置および取付けシャーシに関する。
【０００３】
関連技術の説明
現在、ビデオ監視カメラ・格納装置の設置、準備（ｓｅｔ  ｕｐ）および修理は、相対的に困難であり、また、時間を要している。監視カメラを設置するためには、ケーブル接続を施し、かつ、データのアドレスを指定するために、カメラ・シャーシを設置現場で格納体内に組み立てなければならない。また、設置されたカメラを修理する場合、カメラ・シャーシの完全な分解ではないとしても、部分的な分解を必要とすることがしばしばであり、修理時間および費用の増加の原因になっている。
【０００４】
設置および修理に関わる時間および費用を低減する改良型ビデオ監視カメラ・格納体が必要である。
（発明の簡単な概要）
本発明の一態様は、下端部を通してビデオ監視カメラ・シャーシを受け入れるためのカメラ・ハウジングを備えたビデオ監視カメラ・格納体である。ハウジングは、天井部材の開口部に挿入するようになされており、また、ハウジングの上端部に、ビデオ監視カメラ・モニタリング・システムに電気接続するためのコネクタを少なくとも１つ備えている。ビデオ監視カメラ・モニタリング・システムは、典型的には少なくとも１台のビデオ・モニタおよび／またはビデオ記録装置からなっている。ハウジングは、その下端部の近傍に、天井部材の開口部の周囲の下部表面と係合するためのフランジを備えている。フランジの近傍のハウジングの周囲に、複数の取付けクランプが配置されている。取付けクランプは、ハウジングを開口部に挿入することができるよう、前記ハウジングの外部と相対的に同一平面の第１の位置を有している。取付けクランプは、ハウジングの外部から外側に向かって実質的に直角に延びた、天井開口部の周囲の上部表面と係合するための第２の位置を有している。取付けクランプは、第１の位置から第２の位置へ移動させることができ、それにより天井部材の、開口部に隣接したフランジと取付けクランプの間の部分を捕捉し、ハウジングを天井部材に固定することができる。ユーザの現場に設置するために、下端部を通してビデオ監視カメラ・シャーシおよびシャーシに取り付けられたビデオ監視カメラをハウジング内に挿入することができる。
【０００５】
ビデオ監視カメラ・シャーシは、その周囲に複数の位置決め部材を備え得る。位置決め部材は、ハウジング内部の複数のアライメント・フランジと係合し、それによりシャーシをハウジング内部の所定の位置に導くことができる。位置決め部材の各々は、対応するアライメント・フランジと解放可能に係合するためのショルダを備えている。ショルダの各々は、シャーシを所定の位置で捕捉するためにフランジに突き当てられる第１の位置と、シャーシを取り外すためのフランジのない第２の位置との間で移動させることができる。各ショルダは、第１の位置に偏倚されている。
【０００６】
前記ハウジング内部の上端部に、ビデオ監視カメラ・シャーシ上の第２の盲相手コネクタと合うようになされた第１の盲相手コネクタが設けられている。盲相手コネクタは、コネクタの目視を必要とすることなく互いに合わせることができるようになされたコネクタである。シャーシが所定の位置で捕捉されると、第１および第２の盲相手コネクタが互いに合うことが可能な関係になる。シャーシをハウジングの上端部に向かって押し込み、それにより第１および第２の盲相手コネクタを互いに合わせ、かつ、シャーシをハウジングに固定するために、適切なファスナが使用されている。
【０００７】
第２の盲相手コネクタに電気接続されたプリント回路基板は、ハウジングの下端部から遠隔目視することができる、ビデオ監視カメラ・ドームのセットアップおよび／または障害追跡のための発光ダイオード（ＬＥＤ）を少なくとも１つ備えている。
【０００８】
本発明の他の態様は、ビデオ監視カメラをビデオ監視カメラ・ハウジング内に取り付けるためのビデオ監視カメラ・シャーシである。シャーシは、ビデオ監視カメラを設置するようになされた下端部を有する支持部材を備え、また、支持部材の周囲に複数の位置決め部材を備えている。位置決め部材は、ビデオ監視カメラ・ハウジング内の複数のアライメント・フランジと係合し、それにより支持部材をハウジング内の所定の位置に導くことができる。位置決め部材の各々は、対応するアライメント・フランジと解放可能に係合するためのショルダを備えている。ショルダの各々は、支持部材を所定の位置で捕捉するためにフランジに突き当てられる第１の位置と、支持部材を取り外すためのフランジのない第２の位置との間で移動させることができる。各ショルダは、第１の位置に偏向されている。
【０００９】
一実施形態では、ハウジング内の第１の盲相手コネクタは、支持部材上の第２の盲相手コネクタと合うようになされている。支持部材が所定の位置で捕捉されると、第１および第２の盲相手コネクタが互いに合う関係になる。支持部材をハウジングの上端部に向かって押し込み、それにより第１および第２の盲相手コネクタを互いに合わせ、かつ、支持部材をハウジングに固定するために、少なくとも１つのファスナが使用されている。分解を必要とすることなく、ハウジングの外部から選択することができるスイッチが、支持部材に接続されたプリント回路基板に設けられている。
【００１０】
天井裏または屋外に取り付けるようになされたハウジングを備えた格納体の代わりの実施形態では、格納体の下部部分に、光学品質ドーム・カバーが設置されている。分解を必要とすることなく、ハウジングの外部から選択することができるスイッチが、支持部材に接続されたプリント回路基板に設けられている。プリント回路基板全体、支持部材に取り付けられたカメラ・パン・モータ全体、およびハウジングに取り付けられたドーム・カバーの内部表面全体に空気を循環させるために、少なくとも１つのファンを支持部材に取り付けることができる。屋外設置用の場合、循環空気を加熱するための制御可能なヒータ・エレメントを支持部材に取り付けることができる。
【００１１】
盲相手コネクタに電気接続することができるプリント回路基板は、ハウジングの下端部から遠隔目視することができる、ビデオ監視カメラ・ドームのセットアップおよび／または障害追跡のための発光ダイオード（ＬＥＤ）を少なくとも１つ備えている。
【００１２】
本発明の目的、利点およびアプリケーションについては、本発明の実施形態についての以下の詳細な説明から明らかになるであろう。
（発明の詳細な説明）
図１を参照すると、本発明の一実施形態が２で示されている。ビデオ監視カメラ・シャーシ６に、パンおよびティルト・ビデオ・カメラ・アセンブリ４が設置されている。シャーシ６は、図に示すように、また、以下でさらに説明するように、ビデオ監視カメラ・ハウジング８内に挿入されている。カメラ・ハウジング８は、天井部材９の適切な開口部７に挿入するようになされている。この実施例に示すように、ハウジング８の形状は実質的に円筒状であり、したがって天井部材９の対応する開口部７は、実質的に円形でなければならず、また、そのサイズは、ハウジング８を受け入れるだけの十分な大きさの直径であり、かつ、フランジ１０の直径より小さい直径でなければならない。したがってフランジ１０は、ハウジング８が開口部に挿入されると、開口部の周囲に、天井の下部表面１１に支えられることになる。ハウジング８は、その周囲に、ねじ付きファスナ１３上にそれぞれ位置付けされた複数の取付けクランプ１２を備えている。取付けクランプ１２は、ハウジング８の外部と実質的に同一平面の第１の位置を有しており、天井開口部へのハウジング８の挿入を容易にしている。
【００１３】
図２を参照すると、ハウジング８が天井部材９の開口部７に挿入されると、ねじ付きファスナ１３が、図に示すように、ハウジング８と実質的に直角をなす第２の位置へ取付けクランプ１２を移動させるねじ付きナット１４にねじ込まれる。ねじ付きファスナ１３がさらにナット１４にねじ込まれると、取付けクランプ１２がフランジ１０のさらに近くへ移動し、開口部７の周囲で、天井の上部表面１７と係合する。開口部に隣接する天井部材の周囲が、フランジ１０と取付けクランプ１２の間の隙間１５に捕捉され、ファスナ１３をさらにねじ調整することによって取付けクランプ１２がさらに移動し、それによりその隙間１５に固定される。特定の設置規定によって要求される場合、カバー１６を使用して、天井内に潜在するほこり、がらくたから、コネクタ１８を含むハウジング８の上部部分を保護することができる。以下でさらに説明するように、コネクタ１８は、１つまたは複数のビデオ・モニタおよび／または１つまたは複数のビデオ記録装置（図示せず）からなるビデオ監視カメラ・システムの配線への接続を容易にしている。ハウジング８の下端部に、射出成形することができる光学品質ドーム・カバーすなわちバブル２０が設置されている。
【００１４】
もう一度図１を参照すると、シャーシ６上の複数の位置決め部材２２が、ハウジング８内へのシャーシ６の設置を補助している。位置決め部材６は、シャーシ６をハウジング８内へ導くための、ハウジング８内に配置された対応するアライメント・フランジ２４を受け入れ、かつ、係合するガイド・チャネル２３を有している。以下で明らかになる理由により、位置決め部材２２およびアライメント・フランジ２４は、シャーシ６を唯一の特定の配向でハウジング８内に挿入することができるようになされている。この実施例では、シャーシ６をハウジング８内の所望の特定位置に配置するために、シャーシ６の周囲に非一様に間隔を隔てた３つの位置決め部材２２が、対応するアライメント・フランジ２４と共に使用されている。しかし、シャーシ６をハウジング８内の所望の特定位置に導くために、任意の数の位置決め部材２２およびアライメント・フランジ２４を戦略的に取り付け、使用することができることが意図されている。
【００１５】
図３を参照すると、シャーシ６は、パンおよびティルト・カメラ・アセンブリ４、およびパン・モータ２５およびファン２７などの他の電気システムを、ビデオ・カメラ監視システムにインタフェースするためのプリント回路基板（ＰＣＢ）２６を備えている。ＰＣＢ２６は、シャーシ６に固定の配向で接続されており、ハウジング８（図示せず）内に設けられた第２のコネクタと合うコネクタ２８を備えている。コネクタ２８およびハウジング８内のその相手のコネクタは、設置作業者によるコネクタの目視を必要とすることなく合うようになされたコネクタであり、一般に盲相手コネクタと呼ばれている。
【００１６】
シャーシ６は、通常、ハウジング８が天井に設置された後、ハウジング８内に挿入される。ハウジング８は、コネクタ１８を介してビデオ・カメラ監視システムに電気接続される。シャーシ６は、コネクタ１８に電気接続されたハウジング８内の第２の盲相手コネクタに電気接続されている。位置決め部材２２およびアライメント・フランジ２４は、盲相手コネクタ２８がハウジング８内の第２の盲相手コネクタと正しく整列するように、シャーシ６およびＰＣＢ２６を方向付けている。盲相手コネクタ２８とハウジング８内の第２の盲相手コネクタを合わせるために、シャーシ６がハウジング８内に上に向かって押し込まれると、ハウジング８およびハウジング８を取り付ける天井部材に向けて力が伝達される。とりわけ天井部材がドロップ天井に典型的に使用される繊維質タイルでできている場合、天井部材に過剰な力を加えることができない。それを避けるために、各位置決め部材２２は、対応する各フランジ２４と係合して、以下で説明する最終接続に先立って、シャーシ６を、手で支える必要のない予備接続位置で捕捉し、かつ、懸垂させるショルダ部材３０を備えている。
【００１７】
図４を参照すると、フランジ２４（仮想図で示す）と係合するショルダ３１を有するショルダ部材３０を示す位置決め部材２２の横断面図が示されている。ショルダ部材３０は、フランジ２４に対して偏向させることができ、また、シャーシ６がハウジング８内の所定の位置で捕捉されたことを設置作業者が知ることができるよう、可聴「クリック」を使用してフランジ２４と係合させることができる。予備接続位置で捕捉され、かつ、懸垂されると、図１に示すように、ねじ付きファスナ３２が、フランジ２４の対応するねじ付き開口部３３にねじ込まれる。ファスナ３２がねじ付き開口部３３に固定されると、シャーシ６が完全に位置するまでハウジング８内にさらに引き込まれ、盲相手コネクタ２８がハウジング８内の第２の盲相手コネクタと合う。したがって、ファスナ３２をねじ付き開口部３３へ引き込み、かつ、シャーシ６をハウジング８内へ引き込むことにより、盲相手コネクタを最終接続させるためのハウジング８内へのシャーシ６の挿入力は天井には伝達されず、ハウジング８内に完全に保持される。
【００１８】
図５および６を参照すると、取付けクランプ１２を必要としない点を除き、ハウジング８と同一であるハウジング４０が、天井内での密閉に代わって、格納体４２の中に設置されている。シャーシ６は、ハウジング８に関連して上で説明した方法と同じ方法でハウジング４０内に挿入されている。図に示すコネクタ１８は、盲相手ケーブル・アセンブリすなわちピグテール４４の一部として、ハウジング４０の外部へ延びており、図２に示すようにハウジングには接続されていない。ピグテール４４は、ＰＣＢ２６上の盲相手コネクタ２８に接続されている、ハウジング４０内の盲相手コネクタ（図示せず）から延びている。ピグテール４４は、ハウジング８およびハウジング４０のいずれの実施形態にも使用することができる。ハウジング８の場合、ピグテール４４は、ハウジング８の内部で螺旋状に巻かれ、コネクタはすべてハウジング８上に取り付けられる。また、ハウジング４０の場合、ピグテール４４は、ハウジング４０の外部に延び、盲相手コネクタのみが、ハウジング４０の内部に取り付けられる。ハウジング８およびハウジング４０の両実施形態にピグテール４４を使用することにより、必要な本発明のアイテム数が減少し、かつ、製造費が低減される。ピグテール４４は、格納体４２を貫通して延び、コネクタ１８がビデオ監視カメラ・システムの配線ハーネスのコネクタと合うことになる。ハウジング４０の下端部に光学品質ドーム・バブル４６が設置されている。
【００１９】
図７を参照すると、格納体４２を屋外設置に使用する場合、図５に示すように、シャーシ６にファンおよびヒータ・アセンブリ４８を接続することができる。シャーシ６の複数の開口部５２およびファン２７が通気孔５４（図３に示す）と共同して、ファン５０によるシャーシ６を通した空気循環を促進している。ファン５０は、開口部５２を通して、ドーム・バブル（ｄｏｍｅ  ｂｕｂｂｌｅ）４６の内部表面にわたって、プリント回路基板２６にわたって、パン・モータ２５にわたって、およびサーモスタット制御可能ヒータ５５にわたって空気を循環させている。ハウジング４０の内部およびドーム・バブル４６にわたっての空気流は、ハウジング４０全体に均一に熱を分散させ、天候が温暖な場合はパン・モータ２５およびＰＣＢ２６を冷却し、また、湿度が高く、寒い天候の場合は、ドーム・バブル４６のくもりを取り除き、かつ、防氷している。空気は、参照により本明細書に組み込まれる米国特許第６，０６１，０８７号に開示されている方法と類似の方法で一定方向に流れている。本明細書における改善は、空気がドーム・バブルの内部にわたって、およびプリント回路基板２６およびパン・モータ２５にわたって流れることである。ファン２７は、ファン５０によるプリント回路基板２６およびパン・モータ２５全体の空気流を助長している。屋内に設置する場合、図１に示すキャップ５３を使用して、開口部５２に蓋を施すことができる。
【００２０】
もう一度図３を参照すると、ビデオ監視カメラ・システムと正しくインタフェースするために、スイッチ５６を使用してビデオ・カメラ・アセンブリ４の該当するアドレスが選択されている。ビデオ監視カメラ・システムは、多数のカメラを有することができ、正しく制御し、かつ、モニタするためには、カメラの各々に固有のアドレスを持たせなければならない。ビデオ監視システム内に個々のドーム・カメラを配置するための正しいアドレスに対応させるために、ドーム・カメラを設置している間に、スイッチ５６を選択しなければならない。格納体４２に対して、スイッチ５６は、正しいアドレスの選択を開口部５８を通して選択することができるよう、ＰＣＢ２６上に配置されている。したがって工場で格納体４２、ハウジング４０、シャーシ６およびドーム・バブル４６を完全にアセンブルし、出荷し、かつ、設置現場でスイッチ５６にアクセスするための分解を必要とすることなく設置することができる。天井取付け設置の場合も、図２に示すように、ハウジング８の頂部部分の適切な開口部５７を通して容易にスイッチを切り換えることができ、それにより正しいアドレスを選択することができる。
【００２１】
ＰＣＢ２６は、カメラのセットアップおよび修理に使用される１つまたは複数のＬＥＤ（図示せず）、あるいは他の発光デバイスを備えている。ＬＥＤを異なる色にし、かつ／または異なる位置に設けることもできる。カメラ・アセンブリ４に電源が投入されている間、ＬＥＤを目視することができなければならないため、ＬＥＤは、ＰＣＢ２６の下面に配置されている。設置作業者にＬＥＤをシャーシ６およびハウジング８またはハウジング４０に設置されたカメラ・アセンブリ４の下から目視できるようにするために、ＰＣＢ２６上の各ＬＥＤの近傍から、シャーシ６の下面上の障害物のない位置へ、ＬＥＤビュー・ポート６０が延びている。したがってＬＥＤからの光彩を、設置されたカメラ・アセンブリの下から見ることができる。ＬＥＤビュー・ポート６０は、下からより容易にＬＥＤを目視することができるよう、図３に示すように、漏斗形状にすることができる。
【００２２】
本発明の範囲を逸脱することなく、本発明の変形形態および改変を加えることができることを理解すべきである。また、本発明の範囲を、本明細書において開示した特定の実施形態に制限するものとして解釈すべきではなく、本発明の範囲は、前述の開示に鑑みて読めば、特許請求の範囲の各請求項によってのみ制限されることを理解すべきである。
【図面の簡単な説明】
【図１】  本発明の一実施形態の下部分解斜視図である。
【図２】  本発明の一実施形態の上部分解斜視図である。
【図３】  本発明によるビデオ監視カメラ・シャーシの一実施形態の上部分解斜視図である。
【図４】  図３の線４−４に沿って取った部分横断面図である。
【図５】  屋外アプリケーションのためのヒータを備えた、本発明の代替実施形態の下部分解斜視図である。
【図６】  図５に示す実施形態の上部分解斜視図である。
【図７】  図５に示す実施形態に使用されるヒータ・アセンブリの分解斜視図である。
【図１】
0004493270.tif 000002
【図２】
0004493270.tif 000003
【図３】
0004493270.tif 000004
【図４】
0004493270.tif 000005
【図５】
0004493270.tif 000006
【図６】
0004493270.tif 000007
【図７】
0004493270.tif 000008